(57)【要約】      （修正有）【課題】セラミックス製装飾プレートを用いて複数の装飾デザインを自由に選択できると同時に、セラミックス製装飾プレートの破損も防止できる携帯型電子機器の保護ケースを提供する。【解決手段】略六面体状のスマートフォン２の表側のディスプレイ面に対応する第１開口部と、スマートフォン２の４つの側面にそれぞれ対応する４つの側面部と、スマートフォン２の裏側の面２３に対応する第２開口部とを有するケース本体１４と、第２開口部に対して、４つの側面部の一辺から差し込まれ、第２開口部を閉塞する透光性を有する蓋体１５と、蓋体１５とスマートフォン２の裏側の面２３との間に装着され、蓋体１５側の主面に装飾が施されたセラミックス製装飾プレート１６と、を備える。【選択図】図１
0003186709.tif 000002
【実用新案登録請求の範囲】
【請求項１】
セラミックス製装飾プレートを備える携帯型電子機器の保護ケース。
【請求項２】
前記セラミックス製装飾プレートは、酸化ジルコニウムからなる請求項１に記載の携帯型電子機器の保護ケース。
【請求項３】
前記セラミックス製装飾プレートは、２〜４モル％のイットリウムが添加された酸化ジルコニウムからなる請求項２に記載の携帯型電子機器の保護ケース。
【請求項４】
前記セラミックス製装飾プレートは、鏡面研磨された表面を有する請求項１〜３のいずれか一項に記載の携帯型電子機器の保護ケース。
【請求項５】
前記セラミックス製装飾プレートは、厚さが０．５〜１．０ｍｍである請求項１〜４のいずれか一項に記載の携帯型電子機器の保護ケース。
【請求項６】
前記セラミックス製装飾プレートは、その両面に装飾が施されている請求項１〜５のいずれか一項に記載の携帯型電子機器の保護ケース。
【請求項７】
前記セラミックス製装飾プレートは、ケース本体に対して交換可能に設けられている請求項１〜６のいずれか一項に記載の携帯型電子機器の保護ケース。
【請求項８】
略六面体状の携帯型電子機器の表側のディスプレイ面に対応する第１開口部と、前記携帯型電子機器の４つの側面にそれぞれ対応する４つの側面部と、前記携帯型電子機器の裏側の面に対応する第２開口部とを有するケース本体と、
前記第２開口部に対して、前記４つの側面部の一辺から差し込まれ、前記第２開口部を閉塞する透光性を有する蓋体と、
前記蓋体と前記携帯型電子機器の裏側の面との間に装着され、前記蓋体側の主面に装飾が施されたセラミックス製装飾プレートと、を備える請求項１〜７のいずれか一項に記載の携帯型電子機器の保護ケース。
【請求項９】
略六面体状の携帯型電子機器の裏側の面に対応する第１開口部と、前記携帯型電子機器の４つの側面にそれぞれ対応する４つの側面部と、前記携帯型電子機器の表側のディスプレイ面に対応する第２開口部とを有するケース本体と、
前記第２開口部に対して、前記４つの側面部の一辺から差し込まれ、前記携帯型電子機器の表側の面を保持する蓋体と、
前記第１開口部と前記携帯型電子機器の裏側の面との間に装着され、前記第１開口部側の主面に装飾が施されたセラミックス製装飾プレートと、を備える請求項１〜７のいずれか一項に記載の携帯型電子機器の保護ケース。
【考案の詳細な説明】
【技術分野】
【０００１】
本考案は、スマートフォンその他携帯型電子機器の保護ケースに関するものである。
【背景技術】
【０００２】
ケース全体を取り換えることなく複数の装飾デザインを自由に選択できるようにしたスマートフォン用保護ケースとして、特許文献１に記載されたものが知られている。この保護ケースは、ディスプレイ面を表面側に有するスマートフォンの裏面側に嵌合されるケース本体と、スマートフォンの裏面とケース本体の内面との間に取替え可能に配備されるプラスチック製装飾シートとからなり、透明なケース本体に装飾を施すとともに装飾シートに施された装飾を外部から透視可能に構成したものである。
【先行技術文献】
【特許文献】
【０００３】
【特許文献１】実用新案登録第３１７９７１９号公報
【考案の概要】
【考案が解決しようとする課題】
【０００４】
しかしながら、上記従来の保護ケースでは、プラスチック製装飾シートを用いているので、プラスチック材の質感やそれに施される装飾の意匠性にも一定の限界がある。このため、装飾シートに陶器などのようなセラミックス材を用い、その高級な質感を利用して意匠性を高めることも試みられているが、上記従来の保護ケースを含め、スマートフォンとケース本体とが嵌合されるタイプであることから、誤ってスマートフォンを落としてしまうとその衝撃によってケース本体がスマートフォンから外れ、セラミックス製装飾プレートが割れてしまうという問題がある。
【０００５】
本考案が解決しようとする課題は、セラミックス製装飾プレートを用いて複数の装飾デザインを自由に選択できると同時に、セラミックス製装飾プレートの破損も防止できる携帯型電子機器の保護ケースを提供することである。
【課題を解決するための手段】
【０００６】
本考案は、略六面体の携帯型電子機器の表面及び４つの側面を覆うケース本体と、その開口部にスライド係合して携帯型電子機器の裏面又は表面を覆う蓋体と、蓋体又はケース本体と携帯型電子機器の裏面との間に設けられるセラミックス製装飾プレートとを備えることにより、上記課題を解決する。
【考案の効果】
【０００７】
本考案によれば、セラミックス製装飾プレートは蓋体又はケース本体と携帯型電子機器との間に設けられ、蓋体及びケース本体によって携帯型電子機器の六面が全て覆われる構造とされているので、携帯型電子機器を誤って落としても保護ケースが携帯型電子機器から外れることはない。その結果、セラミックス製装飾プレートを用いて複数の高級感あふれる装飾デザインを自由に選択できると同時に、セラミックス製装飾プレートの破損を防止することができる。
【０００８】
特に２〜４モル％のイットリウムが添加された酸化ジルコニウムからなるセラミックス製装飾プレートを用いれば、その高い破壊靱性によって装飾プレートの破損をさらに確実に防止することができる。
【図面の簡単な説明】
【０００９】
【図１】本考案の一実施の形態に係る保護ケース及びスマートフォンを示す分解斜視図である。
【図２】図１のスマートフォンを保護ケースに収納する状態を示す斜視図である。
【図３】図１の保護ケースのみを示す斜視図である。
【図４】図３のＩＶ−ＩＶ線に沿う断面図である。
【図５】図４のＶ部を拡大した断面図である。
【図６】本考案の他の実施の形態に係る保護ケース及びスマートフォンを示す分解斜視図である。
【図７】図６のＶＩＩ−ＶＩＩ線に沿う拡大断面図である。
【考案を実施するための形態】
【００１０】
以下、本考案の一実施の形態に係るスマートフォンの保護ケースについて図面を参照しながら説明する。図１はスマートフォン２と保護ケース１を裏側から見た分解斜視図、図２はスマートフォン２を保護ケース１に収納する状態を裏側から見た斜視図、図３は保護ケース１のみを裏側から見た斜視図であり、スマートフォン２のディスプレイ２１が設けられた表面を表側、その反対側の表面２３を裏側と称する。
【００１１】
本例の保護ケース１は、ケース本体１４と、蓋体１５と、セラミックス製装飾プレート１６とを備える。なお、スマートフォン２は略六面体状とされ、表側のほぼ全面にディスプレイ２１が設けられ、裏側に蓋が設けられた薄型の筐体を有する携帯型電子機器である。本例の保護ケース１はこの種のスマートフォン２に適用されるほか、その他の携帯型電子機器にも適用することができる。
【００１２】
本例の保護ケース２のケース本体１４は、スマートフォン２の表側のディスプレイ面２１に対応する第１開口部１１と、スマートフォン２の４つの側面２２ａ〜２２ｄにそれぞれ対応する４つの側面部１２ａ〜１２ｄと、スマートフォン２の裏側の表面２３に対応する第２開口部１３とを有する。第１開口部１１の縁部は、図５に示すようにスマートフォン２の外径より小さい内径とされ、これにより第１開口部１１からスマートフォン２が抜け落ちるのを防止する。これに対して、第２開口部１３は第１開口部１１の内径より大きい内径とされ、スマートフォン２をケース本体１４に収納する場合はこの第２開口部１３から挿入される。そのためケース本体１４は必要な弾性を有するポリカーボネートなどのプラスチック材から構成されている。
【００１３】
本例の保護ケース１の蓋体１５は、周縁の枠部１８とその中央の透明部１７とを有し、図５に示すように第２開口部１３の周囲（厳密には側面部１２ａ，１２ｂ，１２ｄ）に形成された溝部１２１に対して、枠部１８の周囲に形成された凸部１８１が１つの側面部１２ｃから差し込まれ、第２開口部１３を閉塞する。透明部１７は透光性を有し、後述するセラミックス製装飾プレート１６に施された装飾を外部から視認することができるようになっている。この蓋体１５の枠部１８はポリカーボネートなどのプラスチック材から構成され、透明部１７はアクリルなどのプラスチック材から構成されている。
【００１４】
本例のセラミックス製装飾プレート１６は、蓋体１５とスマートフォン２の裏面２３との間に装着され、蓋体１５に対面する面１６ａに所望の装飾が施されている。なお、セラミックス製装飾プレート１６の両面１６ａ，１６ｂにそれぞれ異なる装飾を施し、必要に応じて好みの装飾を選択させてもよい。
【００１５】
本例のセラミックス製装飾プレート１６は、２〜４モル％、好ましくは３モル％のイットリウムを添加した酸化ジルコニウムＺｒＯ２を素材とするセラミックスであり、部分安定化ジルコニアと呼ばれ、高い破壊靱性を有する。通常のセラミックス材にあっては、強度は高いが靱性が低いので、衝撃を受けると容易に破損する。しかしながら部分安定化ジルコニアセラミックスは衝撃に対して破損し難いという特徴があり、特にスマートフォン２の保護カバー１として使用しても、落下等の衝撃で破損しない効果がある。
【００１６】
本例のジルコニアセラミックスの作製法は、まず市販の部分安定化ジルコニア原料に、有機溶媒、バインダー、分散剤を加え、スラリーとし、このスラリーを平坦な有機フィルム上に流し出し、ドクターブレードなどを用いて厚みが０．８〜１．６ｍｍになるように成形する。この成形体を乾燥したのち、金型で打ち抜き、１４００〜１５００℃の温度で焼成することで厚み０．６〜１．２ｍｍのセラミックプレートを作製する。このプレートをそのまま製品としてもよいが、高級感のある装飾プレート１６にするために、たとえば０．９〜１．２ｍｍの厚さのプレートの両面研磨により０．５〜１．０ｍｍ、好ましくは０．６ｍｍの厚みに加工する。さらに、片面１６ａ(又は両面１６ａ，１６ｂ)を鏡面研磨により仕上げし、これを製品とする。そして、表面側１６ａ(又は両面１６ａ，１６ｂ)に、上絵付け工程において、手書き、転写紙、インクジェット印刷のいずれかの方法で絵付けし、これを８００℃以上の温度で焼き付ける。以上の工程により本例のジルコニアセラミックス製装飾プレート１６を得ることができる。
【００１７】
以上のように構成された本例の保護ケース１にスマートフォン２を収納するには、図３に示すように保護ケース１の蓋体１５を引き出して取り外し、図１に示すようにケース本体１４の第２開口部１３からスマートフォン２のディスプレイ２１を裏側に向けて挿入する。これによりスマートフォン２のディスプレイ２１は、ケース本体１４の第１開口部１１から露出することになり、タッチパネルの操作を行うことができる。次いで、セラミックス製装飾プレート１６をスマートフォン２の裏側の表面２３に載せ、蓋体１５をケース本体１４の側面部１２ｃから差し込む。これにより、セラミックス製装飾プレート１６は、蓋体１５とスマートフォン２の裏側の表面２３との間に挟持され、装飾が施された表面１６ａを蓋体１５の透明部１７を介して視認することができる。
【００１８】
図６は本考案の他の実施の形態に係るスマートフォンの保護ケース１及びスマートフォン２を示す分解斜視図、図７は図６のＶＩＩ−ＶＩＩ線に沿う拡大断面図である。なお、図７は、図６のＶＩＩ−ＶＩＩ線に沿う断面を上下逆に示した断面図である。本例は、図１〜図５に示す実施形態に対して、セラミックス製装飾プレート１６を蓋体１５とスマートフォン２の裏側の表面２３との間ではなく、ケース本体１４の第１開口部１１とスマートフォン２の裏側の表面２３との間に挟持したものである。
【００１９】
またこのため、スマートフォン２のディスプレイ２１側を保持するために、透明部１７が省略された枠体１８からなる蓋体１５がケース本体１４の第２開口部１３に差し込まれる。なお、セラミックス製装飾プレート１６の脱落を防止するため、ケース本体１４の第１開口部１１の内径はセラミックス製装飾プレート１６の外径より小さく形成されている。
【００２０】
以上のとおり、本例の保護ケース１によれば、装飾が施されたジルコニアなどのセラミックス製装飾プレート１６を用いているので、高級感のある意匠性に富む保護ケース１を提供することができる。この質感はプラスチック材や金属材から構成された装飾シートとは格段に異なるものとなり、商品価値を高めることができる。
【００２１】
また本例の保護ケース１によれば、極めて高い破壊靱性を有するジルコニアセラミックス製装飾プレート１６を用いているので、スマートフォン２を落としたりしてもそれ自体の破壊靱性によって破損することを防止することができる。
【００２２】
しかも本例の保護ケース１によれば、ケース本体１４に蓋体１５を差し込んでスマートフォン２の六面全体を覆う構造としているので、スマートフォン２を落としても保護ケース１がスマートフォン２から外れることを防止することができる。この点からもセラミックス製装飾プレート１６の破損を防止することができる。
【００２３】
また本例の保護ケース１によれば、セラミックス製装飾プレート１６をケース本体１４、蓋体１５又はスマートフォン２に接着することなく、単に蓋体１５とスマートフォン２の裏側の表面２３との間に挟持するだけの構造であるため、これを簡単に交換することができ、また交換する際に糊残りなどの不具合が生じることもない。
【００２４】
さらに本例の保護ケース１によれば、セラミックス製装飾プレート１６の表裏両面１６ａ，１６ｂに装飾を施せば、１枚のプレートで２種類の装飾を選択することができる。
【００２５】
さらに図６，７に示す構造とすれば、セラミックス製装飾プレート１６の装飾面１６ａがそのまま露呈するので、高級感のある意匠性に富む装飾がより一層際立つことになる。
【符号の説明】
【００２６】
１…保護ケース
１１…第１開口部
１２ａ〜１２ｄ…側面部
１２１…溝部
１３…第２開口部
１４…ケース本体
１５…蓋体
１６…セラミックス製装飾プレート
１６ａ…表面
１６ｂ…裏面
１７…透明部
１８…枠部
１８１…凸部
２…スマートフォン
２１…ディスプレイ
２２ａ〜２２ｄ…側面
２３…裏側の表面
【図１】
0003186709.tif 000003
【図２】
0003186709.tif 000004
【図３】
0003186709.tif 000005
【図４】
0003186709.tif 000006
【図５】
0003186709.tif 000007
【図６】
0003186709.tif 000008
【図７】
0003186709.tif 000009
【手続補正書】
【提出日】平成25年7月5日(2013.7.5)
【手続補正１】
【補正対象書類名】実用新案登録請求の範囲
【補正対象項目名】請求項１
【補正方法】変更
【補正の内容】
【請求項１】
携帯型電子機器の裏面とケース本体との間にセラミックス製装飾プレートを備える携帯型電子機器の保護ケース。
【手続補正書】
【提出日】平成25年8月21日(2013.8.21)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
携帯型電子機器の裏面とケース本体又は蓋体との間にセラミックス製装飾プレートを備える携帯型電子機器の保護ケース。